(57)【特許請求の範囲】
【請求項１】
矩形板状のベース部材と、
流体を充填できる細長い袋状であって、上記ベース部材の上面に上下二段で、長手方向を上記ベース部材の幅方向に沿わせて上記ベース部材の長手方向に対して並設された複数の流体用バッグと、
この流体用バッグに流体を供給する流体供給源と、
この流体供給源と上記流体用バッグとの間に設けられ上記流体供給源から上記流体用バッグへ供給される流体の流れを切り換える切り換え手段と、
この切り換え手段を制御して上記流体用バッグに供給される流体の流れを制御する制御手段を具備し、
上記流体用バッグは、上下の異なる位置にあって、しかも上段と下段において互いに隣り合うことのない位置にある複数の流体用バッグを１つのグループとすることで、全体が２つのグループに分けられていて、
一方のグループの流体用バッグと他方のグループのそれぞれ複数の流体用バッグは、上記流体供給源からの流体が上記切り換え手段を介して供給されるよう接続されていて、
上記制御手段は、一方のグループの複数の流体用バッグと他方のグループの複数の流体用バッグとに対して上記流体が交互に供給されるよう上記切り換え手段を切り換え制御することを特徴とするマットレス装置。
【請求項２】
上記切り換え手段は、
流入ポート、流出ポート及び排気ポートを有し、上記流入ポートに上記流体供給源が接続された三方切り換え制御弁と、
この三方切り換え制御弁の上記流出ポートに接続され上記流体供給源からの流体を上記第１のグループの流体用バッグに供給する第１の開閉制御弁と、
上記三方切り換え制御弁の上記流出ポートに上記第１の開閉制御弁と分岐されて接続され上記流体供給源からの流体を上記第２のグループの流体用バッグに供給する第２の開閉制御弁とを備え、
上記制御手段は、上記第１の開閉制御弁と上記第２の開閉制御弁のどちらか一方の開閉制御弁を閉じ、他方の開閉制御弁を開放しているときに、開放された開閉制御弁から上記三方切り換え制御弁の排気ポートを通じてどちらか一方のグループの流体用バックに供給された流体が排出されるよう上記三方切り換え制御弁を制御することを特徴とする請求項１記載のマットレス装置。
【請求項３】
上記切り換え手段は、上記第１のグループの流体用バッグに供給された流体の圧力を検出する第１の圧力センサーと、上記第２のグループの流体用バッグに供給された流体の圧力を検出する第２の圧力センサーとをさらに有し、
上記制御手段は上記第１の圧力センサーと第２の圧力センサーが検出する圧力に基づいて上記第１、第２の開閉制御弁と上記三方切り換え制御弁を制御して上記第１のグループと上記第２のグループの流体用バッグへの流体の供給を制御することを特徴とする請求項２記載のマットレス装置。
【請求項４】
上記流体用バッグの下面と上記ベース部材の上面との間には、上記流体用バッグの上面に利用者が仰臥したときに、利用者の背面に対応する部分が除去される状態で、上記流体用バッグに供給された流体を加熱する電熱ヒータが設けられていることを特徴とする請求項１記載のマットレス装置。
【請求項５】
上記流体用バッグは、所定の幅寸法のシートをチューブ状に丸め、その幅方向の両端を溶着して形成されていて、幅方向の両端を溶着した部分を下向きにして上記ベース部材の上面に設けられることを特徴とする請求項１記載のマットレス装置。
【発明の詳細な説明】
【技術分野】
【０００１】
この発明はエアーなどの流体が供給されるチューブ状の流体用バックを用いて構成されたマットレス装置に関する。
【背景技術】
【０００２】
たとえば体力が衰えた老人や病人などが長期にわたって利用するマットレス装置の場合、利用者の臀部や背中などに辱瘡が生じるのを防止することができる構成とすることが要求される。
【０００３】
辱瘡を防止する構成のマットレス装置には種々のものが知られているが、その１つとして矩形板状のベース部材の上面にチューブ状の流体用バックとしての複数のエアーバックを上下２段で並設し、下側のエアーバックを常時、膨張させておくとともに、上側のエアーバッグのうち、隣り合うエアーバッグの一方と他方を所定時間毎に交互に膨張させるようにしている。
【０００４】
それによって、利用者の背面の上記エアーバッグによって支持される部位を所定時間毎に変化させることができるから、同じ部位を同じ状態で支持し続ける場合に比べて利用者の臀部や背中などの背面に辱瘡が生じ難くなる。
【先行技術文献】
【特許文献】
【０００５】
【特許文献１】特許第４１５６２９７号公報
【発明の概要】
【発明が解決しようとする課題】
【０００６】
しかしながら、上下２段で並設されたエアーバックのうち、上側の隣り合うエアーバッグの一方と他方を交互に膨張させて利用者の背面の上記エアーバッグによって支持される部位を所定時間毎に変化させるようにすると、膨張した状態にあるエアーバッグと、空気が抜かれるエアーバッグとでは利用者を支持する高さが異なってしまう。
【０００７】
エアーバッグによる利用者の支持高さが変化すると、その変化に応じて利用者の身体が上下方向に揺れ動くことになるから、利用者に与える不快感が大きくなるということがあった。
【０００８】
この発明は、流体用バッグの膨張と収縮を所定時間毎に繰り返して利用者の背面に辱瘡が生じるのを防止するようにした場合、仰臥した利用者の身体が揺れ動き難いようにしたマットレス装置を提供することにある。
【課題を解決するための手段】
【０００９】
この発明は、矩形板状のベース部材と、
流体を充填できる細長い袋状であって、上記ベース部材の上面に上下二段で、長手方向を上記ベース部材の幅方向に沿わせて上記ベース部材の長手方向に対して並設された複数の流体用バッグと、
この流体用バッグに流体を供給する流体供給源と、
この流体供給源と上記流体用バッグとの間に設けられ上記流体供給源から上記流体用バッグへ供給される流体の流れを切り換える切り換え手段と、
この切り換え手段を制御して上記流体用バッグに供給される流体の流れを制御する制御手段を具備し、
上記流体用バッグは、上下の異なる位置にあって、しかも上段と下段において互いに隣り合うことのない位置にある複数の流体用バッグを１つのグループとすることで、全体が２つのグループに分けられていて、
一方のグループの流体用バッグと他方のグループのそれぞれ複数の流体用バッグは、上記流体供給源からの流体が上記切り換え手段を介して供給されるよう接続されていて、
上記制御手段は、一方のグループの複数の流体用バッグと他方のグループの複数の流体用バッグとに対して上記流体が交互に供給されるよう上記切り換え手段を切り換え制御することを特徴とするマットレス装置にある。
【００１０】
上記切り換え手段は、
流入ポート、流出ポート及び排気ポートを有し、上記流入ポートに上記流体供給源が接続された三方切り換え制御弁と、
この三方切り換え制御弁の上記流出ポートに接続され上記流体供給源からの流体を上記第１のグループの流体用バッグに供給する第１の開閉制御弁と、
上記三方切り換え制御弁の上記流出ポートに上記第１の開閉制御弁と分岐されて接続され上記流体供給源からの流体を上記第２のグループの流体用バッグに供給する第２の開閉制御弁とを備え、
上記制御手段は、上記第１の開閉制御弁と上記第２の開閉制御弁のどちらか一方の開閉制御弁を閉じ、他方の開閉制御弁を開放しているときに、開放された開閉制御弁から上記三方切り換え制御弁の排気ポートを通じてどちらか一方のグループの流体用バックに供給された流体が排出されるよう上記三方切り換え制御弁を制御することが好ましい。
【００１１】
上記切り換え手段は、上記第１のグループの流体用バッグに供給された流体の圧力を検出する第１の圧力センサーと、上記第２のグループの流体用バッグに供給された流体の圧力を検出する第２の圧力センサーとをさらに有し、
上記制御手段は上記第１の圧力センサーと第２の圧力センサーが検出する圧力に基づいて上記第１、第２の開閉制御弁と上記三方切り換え制御弁を制御して上記第１のグループと上記第２のグループの流体用バッグへの流体の供給を制御することが好ましい。
【００１２】
上記流体用バッグの下面と上記ベース部材の上面との間には、上記流体用バッグの上面に利用者が仰臥したときに、利用者の背面に対応する部分が除去される状態で、上記流体用バッグに供給された流体を加熱する電熱ヒータが設けられていることが好ましい。
【００１３】
上記流体用バッグは、所定の幅寸法のシートをチューブ状に丸め、その幅方向の両端を溶着して形成されていて、幅方向の両端を溶着した部分を下向きにして上記ベース部材の上面に設けられることが好ましい。
【発明の効果】
【００１４】
この発明によれば、上下２段に積層された流体用バッグを、上下の異なる位置にあって、しかも上段と下段において互いに隣り合うことのない位置にある複数の流体用バッグを１つのグループとすることで、全体を２つのグループに分け、一方のグループと他方のグループのそれぞれ複数の流体用バッグに対して流体を交互に供給するようにした。
【００１５】
そのため、上下２段に積層された流体用バッグは、上下方向の同じ流体用バッグが同時に収縮することがなく、しかも互いに隣り合うエアーバッグが同時に収縮することがないから、流体用バッグによる利用者の支持高さが変化して身体が揺れるということがないため、利用者に不快感を与えることがない。
【図面の簡単な説明】
【００１６】
【図１】この発明の一実施の形態を示すマットレス装置の内部構造を示す平面図。
【図２】図１に示すマットレス装置の一部の流体用バッグを除去して内部構造を示した平面図。
【図３】図１に示すマットレス装置の側面図。
【図４】第１のグループと第２のグループの流体用バッグに圧縮空気を供給・排出するための配管系統及び制御回路を示す図。
【図５】（ａ）〜（ｄ）は第１のグループと第２のグループの流体用バッグに圧縮空気を供給・排出する順序を順次示した説明図。
【発明を実施するための形態】
【００１７】
以下、この発明の一実施の形態を図面を参照しながら説明する。
【００１８】
図１と図２はマットレス装置の平面図であり、図３は同じく側面図である。上記マットレス装置は、ウレタンフォームなどの弾性材によって矩形板状に形成されたベース部材１を備えている。
【００１９】
上記ベース部材１の上面には、細長い袋状に形成された複数の流体用バッグ２が長手方向を上記ベース部材１の幅方向に沿わせて図３に示すように上下二段で、上記ベース部材１の長手方向に並設されている。なお、上段と下段の流体用バッグ２は径方向の中心を一致させて配置されている。
【００２０】
複数の流体用バッグ２は図４及び図５（ａ）〜（ｄ）に示すように第１のグループＧ１と、第２のグループＧ２との２つのグループに分けられている。すなわち、上下方向の同じ位置にあり、しかも上段と下段において互いに隣り合う流体用バッグ２がそれぞれ異なるグループ、つまり第１のグループＧ１と第２のグループＧ２に分けられている。
【００２１】
言い換えれば、上下の異なる位置にあって、しかも上段と下段において互いに隣り合うことのない位置にある複数の流体用バッグを１つのグループとすることで、全体が２つのグループＧ１、Ｇ２に分けられている。
【００２２】
以上のことからして、図４と図５（ａ）〜（ｄ）にＡで示す流体用バッグ２が第１のグループＧ１で、Ｂで示す流体用バッグ２が第２のグループＧ２に設定されている。  
なお、図４と図５（ａ）〜（ｄ）は、上記ベース部材１上に設けられた一部の流体用バッグ２だけを示している。
【００２３】
図４に示すように、第１のグループＧ１の流体用バッグ２と、第２のグループＧ２の流体用バッグ２には、流体供給源としてのエアーポンプ３で発生される加圧空気が切り換え手段４によって所定時間毎に交互に供給されるようになっている。
【００２４】
上記切り換え手段４は、上記エアーポンプ３の吐出側に流入ポート５ａを接続した三方切り換え弁５を備えている。この三方切り換え弁５の流出ポート５ｂには第１の開閉制御弁６と第２の開閉制御弁７とが分岐管８を介して並列に接続され、排気ポート５ｃは大気に開放させている。
【００２５】
上記第１の開閉制御弁６には同図に破線で示す第１の気体供液管９の一端が接続されている。この第１の気体供液管９は、上下二段に重ねられた上記流体用バッグ２のうちの、上段に一つ置きで位置する同図にＡで示す第１のグループＧ１の流体用バッグ２の長手方向の一端部を順次接続している。
【００２６】
上段に位置する第１のグループＧ１の流体用バッグ２の長手方向の一端部を順次接続した第１の気体供液管９は、下段に一つ置きで位置するＡで示す第１のグループＧ１の流体用バッグ２の長手方向の一端部を順次接続した後、第１の圧力センサー１１に接続されている。この第１の圧力センサー１１は、上記第１の気体供液管９によって供給された第１のグループＧ１の流体用バッグ２内の空気圧を検出するようになっている。
【００２７】
上記第２の開閉制御弁７には図４に実線で示す第２の気体供液管１３の一端を接続している。この第２の気体供液管１３は上下二段に重ねられた上記流体用バッグ２のうちの、上段に一つ置きで位置する同図にＢで示す第２のグループＧ２の流体用バッグ２の長手方向の一端部を順次接続している。
【００２８】
上段に位置する第２のグループＧ２の流体用バッグ２の長手方向の一端部を順次接続した第２の気体供液管１３は、下段に一つ置きで位置する第２のグループＧ２の流体用バッグ２の長手方向の一端部を順次接続した後、第２の圧力センサー１４に接続されている。この第２の圧力センサー１４は、上記第２の気体供液管１３によって供給された第２のグループＧ２の流体用バッグ２内の空気圧を検出するようになっている。
【００２９】
上記第１の圧力センサー１１と第２の圧力センサー１４が検出する検出信号は制御基板からなる制御装置１５に出力される。この制御装置１５は、上記第１の開閉制御弁６と第２の開閉制御弁７の開閉を制御するようになっているとともに、上記三方切り換え制御弁５を上記第１の圧力センサー１１と第２の圧力センサー１４が検出する圧力に応じて後述するように切り換え制御するようになっている。
【００３０】
なお、上記エアーポンプ３、切り換え手段４、第１、第２の圧力センサー１１，１４及び制御装置１５は、上記ベース部材１の一端部に設けられた制御ボックス１６に収容されている。
【００３１】
図２に示すように、上記ベース部材１の上面と上記流体用バッグ２との間には、上記ベース部材１の長手方向の他端部を除く部分に電熱ヒータ１７が配置されている。この電熱ヒータ１７は上記制御装置１５によって制御されて上記各グループＧ１、Ｇ２の流体用バッグ２に供給される圧縮空気を温めるようになっている。
【００３２】
上記電熱ヒータ１７は利用者が上記ベース部材１の長手方向の他端部側に頭部を位置させて仰臥したとき、その利用者の背面に対応する部分を除く部分に位置するよう配置されている。つまり、上記電熱ヒータ１７は図２に示すように上記ベース部材１の一端部側の幅方向中央部を除く部分に設けられている。
【００３３】
それによって、利用者が上記ベース部材１の長手方向の他端部側に頭部を位置させて仰臥したとき、上記電熱ヒータ１７の熱によって利用者の背面が直接的に温められるのが防止されるから、利用者の背面、とくに臀部や脚部が電熱ヒータ１７の熱によって、いわゆる低温火傷をするのが防止されるようになっている。
【００３４】
図１と図２に示すように、上記ベース部材１の上面に上下二段で設けられた流体用バッグ２は２本の帯状部材１８によって上記ベース部材１の上面で位置ずれしないよう保持されている。
【００３５】
上記流体用バッグ２は所定の幅寸法を有する流体密、この実施の形態では気密に形成された柔軟な帯状シートを幅方向に丸め、その幅方向の両端部を重ね合わせて溶着することで、細長い気密な袋状に形成されている。
【００３６】
そして、図４に示すように、各流体用バッグ２は溶着された部分２ａを下側、つまりベース部材１の上面側に向けて上記ベース部材１の上面に配置されている。それによって、上記流体用バッグ２の両端部を重ね合わせて溶着された部分２ａ、つまり他の部分よりも厚手な部分が下側にあるから、その溶着された部分２ａが利用者の背面に当たって不快感を与えるのを防止できるようになっている。
【００３７】
なお、流体用バッグ２は帯状シートの幅方向両端部だけでなく、長手方向の両端部も密封されるよう溶着されている。
【００３８】
そして、上面に上下二段で流体用バッグ２が長手方向に沿って並設された上記ベース部材１は図示しない袋状の外装体によって被覆されている。
【００３９】
上記構成のマットレス装置によれば、上記制御装置１５によって運転を開始すると、最初は上記第１の開閉制御弁６と第２の開閉制御弁７が開放された状態で、上記エアーポンプ３が運転され、第１のグループＧ１と第２のグループＧ２の流体用バッグ２に圧縮空気が供給される。
【００４０】
各グループＧ１、Ｇ２の流体用バッグ２に供給された圧縮空気の圧力が設定値以上になったことが上記第１の圧力センサー１１と第２の圧力センサー１４によって検出されると、その検出信号に基づいて上記第１の開閉制御弁６と第２の開閉制御弁７とが上記制御装置１５によって閉じられる。この状態を図５（ａ）に示す。
【００４１】
図５（ａ）に示す状態で所定時間経過すると、上記第２の開閉制御弁７が閉じられた状態で、上記第１の開閉制御弁６が開放されるとともに、上記三方切り換え制御弁５の流出ポート５ｂが排気ポート５ｃに連通するよう、上記三方切り換え制御弁５が切り換え制御される。
【００４２】
それによって、第１のグループＧ１の流体用バッグ２に供給された圧縮空気は、主として第１のグループＧ１の流体用バッグ２に加わる利用者の荷重によって上記第１の開閉制御弁６から三方切り換え制御弁５の排気ポート５ｃを通じて大気中に排出される。そして、上記第１のグループＧ１の流体用バッグ２内の圧力が所定値まで低下したことが第１の圧力センサー１１によって検出されると、上記第１の開閉制御弁６が閉じられる。
【００４３】
それによって、第１のグループＧ１の流体用バッグ２は膨張時に比べて所定の割合、たとえば５０％収縮する一方、第２のグループＧ２の流体用バッグ２は所定の圧力で膨張した状態が所定時間維持される。この状態を図５（ｂ）に示す。
【００４４】
図５（ｂ）に示す状態において、利用者の背面は主に第２のグループＧ２の流体用バッグ２によって支持され、約５０％の状態で収縮（膨張）した第１のグループＧ１の流体用バッグ２は利用者の背面を強く支持しない状態となる。
【００４５】
つまり、利用者は、第１、第２のグループＧ１、Ｇ２の流体用バッグ２によって背面の全体が圧迫された状態から、第２のグループＧ２の流体用バッグ２にだけによって背面が圧迫される状態で支持されることになり、それまで第１のグループＧ１の流体用バッグ２によって支持されていた部分の圧迫状態が開放されることになる。
【００４６】
図５（ｂ）に示す状態が所定時間経過すると、上記第１の開閉制御弁６が開放されて第１のグループＧ１の流体用バッグ２にエアーポンプ３から圧縮空気が供給される。それによって、第１のグループＧ１の流体用バッグ２は、第１の圧力センサー１１によって検出される圧縮空気の圧力が所定の圧力に上昇するまで膨張する。
【００４７】
つまり、第１のグループＧ１と第２のグループＧ２の流体用バッグ２内の空気圧力がほぼ同じで膨張するまで、第１のグループＧ１の流体用バッグ２に圧縮空気が供給されるから、利用者の背面は、図５（ａ）のときと同様、膨張した第１のグループＧ１と第２のグループＧ２の流体用バッグ２によってほぼ全体が支持される。この状態を図５（ｃ）に示す。
【００４８】
図５（ｃ）に示す状態が所定時間経過すると、上記第１の開閉制御弁６が閉じられた状態で、上記第２の開閉制御弁７が開放されるとともに、上記三方切り換え制御弁５の流出ポート５ｂが排気ポート５ｃに連通するよう、上記三方切り換え制御弁５が切り換えられる。
【００４９】
それによって、第２のグループＧ２の流体用バッグ２に供給された圧縮空気が主に利用者の荷重によって上記第２の開閉制御弁７から三方切り換え制御弁５の排気ポート５ｃを通じて大気中に排出される。そして、第２のグループＧ２の流体用バッグ２内の圧力が所定値まで低下したことが第２の圧力センサー１４によって検出されると、上記第２の開閉制御弁７が閉じられる。
【００５０】
それによって、第２のグループＧ２の流体用バッグ２が膨張時に対して所定の割合、たとえば５０％収縮し、第１のグループＧ１の流体用バッグ２が膨張した状態が所定時間維持される。つまり、利用者の背面は主に第１のグループＧ１の流体用バッグ２によって支持され、約５０％に収縮した第２のグループＧ２の流体用バッグ２に対応する部分では背面が圧迫されて支持されるということがなくなる。この状態を図５（ｄ）に示す。
【００５１】
したがって、図５（ｄ）に示す状態によれば、利用者の背面の全体が図５（ｃ）に示すように膨張した第１、第２のグループＧ１、Ｇ２の流体用バッグ２によって支持された状態から、第１のグループＧ１の流体用バッグ２によって支持されることで、第２のグループＧ２の流体用バッグ２によって支持された部分の圧迫状態が開放されることになる。
【００５２】
つまり、第１のグループＧ１の流体用バッグ２による支持が開放された図５（ｂ）のときとは逆に、第２のグループＧ２の流体用バッグ２による支持が開放されることになる。
【００５３】
このように、第１のグループＧ１と第２のグループＧ２の流体用バッグ２によって、利用者の背面を圧迫して支持する状態が交互に繰り返されることで、利用者の臀部や背部などの背面の同じ箇所が長時間にわたって圧迫され続けるのが防止されるから、利用者の背面に辱瘡が生じるのが防止されることになる。
【００５４】
上記第１のグループＧ１の流体用バッグ２と、第２のグループＧ２の流体用バッグ２は、上下の異なる位置にあって、しかも上段と下段において互いに隣り合うことのない位置にある。
【００５５】
そのため、上記第１のグループＧ１と第２のグループＧ２のいずれか一方の流体用バッグ２を膨張させた状態を維持し、他方の流体用バッグ２から圧縮空気を流出させる際、マットレス装置の厚さ、つまり上下二段で積層された流体用バッグ２がなす全体の厚さは一様に変化し、部分毎に異なる厚さに変化するということがない。
【００５６】
つまり、上記構成のマットレス装置は、第１、第２のグループＧ１、Ｇ２の流体用バッグ２に圧縮空気を出し入れすることで厚さが変化する際、ベース部材１の長手方向全長にわたって上下二段で積層された流体用バッグ２がなす厚さが部分毎に異なる厚ささに変化するということがなく、一様な厚さを維持して変化する。
【００５７】
したがって、利用者の背面に辱瘡が生じるのを防止するため、利用者の背面の第１のグループＧ１と第２のグループＧ２の流体用バッグ２による支持状態を交互に切り換える際、マットレス装置の厚さが部分毎に変化することで、利用者の身体が揺れ動くということがないから、利用者が船揺れしているような不快感を与えることなく、背面の流体用バッグ２による支持状態を切り換えることができる。
【００５８】
上記第１のグループＧ１と第２のグループＧ２の流体用バッグ２に供給された圧縮空気の圧力を検出する第１の圧力センサー１１と第２の圧力センサー１４を備えている。
【００５９】
そのため、第１のグループＧ１と第２のグループＧ２の流体用バッグ２に供給される圧縮空気の圧力を設定することができるから、利用者の身体の背面を、利用者の好みに応じた圧力（硬さ）で膨張させた流体用バッグ２によって支持することができる。
【００６０】
また、上記第１のグループＧ１と第２のグループＧ２の流体用バッグ２から圧縮空気を抜くとき、上記第１の圧力センサー１１と第２の圧力センサー１４との検出によって流体用バッグ２に残留する圧縮空気の圧力を膨張時の圧力に比べてどの程度にするのかを設定することができるから、そのことによってマットレス装置全体の厚さを利用者の好みに応じて設定することが可能となる。
【００６１】
上記ベース部材１の上面には電熱ヒータ１７が設けられている。そのため、この電熱ヒータ１７によって流体用バッグ２に供給された圧縮空気を温めることができるから、たとえば冬季などには暖房作用を呈することができる。
【００６２】
上記電熱ヒータ１７は、仰臥した利用者の背面に対応する部分には設けられず、主に上記ベース部材１の幅方向の両端部に設けるようにしている。そのため、上記電熱ヒータ１７の熱によって利用者の背面、とくに臀部や脚部が直接的に温められることがないから、利用者が低温火傷をするのを防止することができる。
【００６３】
上記流体用バッグ２は、所定の幅寸法のシートをチューブ状に丸め、その幅方向の両端を溶着して形成されていて、幅方向の両端を溶着した部分２ａを下向きにしてベース部材１上に載置されている。
【００６４】
そのため、マットレス装置に仰臥した利用者が上記流体用バッグ２の上記溶着した部分２ａの硬さを感じるということがないから、その部分２ａによって利用者に不快感を与えるのを防止することができる。
【００６５】
なお、上記一実施の形態では流体用バッグに圧縮空気を供給するようにしたが、圧縮空気に代わり液体を供給するようにしてもよい。その場合、三方切換制御弁の排気ポートから排出される流体用バッグ内の流体はタンクに回収してから、ポンプで流体用バッグに供給して再利用するようにすればよい。
【００６６】
また、第１のグループと第２のグループの流体用バックを交互に膨張と収縮を繰り返して行なう場合、流体が排出された流体用バックに流体を供給して膨張させてから、膨張した状態にある流体用バックから流体を排出させるようにしたが、収縮した状態にある流体用バックへの流体の供給と、膨張した流体用バックからの流体の排出を同時に行うようにしてもよい。
【符号の説明】
【００６７】
１…ベース部材、２…流体用バッグ、３…エアーポンプ（流体供給源）、４…切換手段、５…三方切換制御弁、６…第１の開閉制御弁、７…第２の開閉制御弁、１１…第１の圧力センサー、１４…第２の圧力センサー、１５…制御装置、１７…電熱ヒータ。
【図１】
0005555738.tif 000002
【図２】
0005555738.tif 000003
【図３】
0005555738.tif 000004
【図４】
0005555738.tif 000005
【図５】
0005555738.tif 000006